(57)【特許請求の範囲】
【請求項１】
パネルとその木口に嵌め付けられるエッジ材とから成るドア及びドア枠であって、
前記パネルには、接着剤を介して裏面に粘着剤層を有しない樹脂製化粧シートが貼られ、前記エッジ材には、粘着剤付化粧シートが貼られていることを特徴とするドア及びドア枠。
【請求項２】
前記パネルに貼られる化粧シートと前記エッジ材に貼られる粘着剤付化粧シートは、同じ色柄である、請求項１に記載のドア及びドア枠。
【請求項３】
前記パネルに塗布される前記接着剤は、ＰＵＲ系ホットメルト接着剤である、請求項１又は２に記載のドア及びドア枠。
【請求項４】
パネルとその木口に嵌め付けられるエッジ材とから成るドア及びドア枠の製造方法であって、
前記パネルには、接着剤を介して裏面に粘着剤層を有しない樹脂製化粧シートを貼り付け、前記エッジ材には、粘着剤付化粧シートを貼り付けることを特徴とするドア及びドア枠の製造方法。
【請求項５】
前記パネルに貼り付ける化粧シートと前記エッジ材に貼り付ける粘着剤付化粧シートを同じ色柄のものとする、請求項４に記載のドア及びドア枠の製造方法。
【請求項６】
前記パネルに塗布する前記接着剤は、ＰＵＲ系ホットメルト接着剤とする、請求項４又は５に記載のドア及びドア枠の製造方法。
【発明の詳細な説明】
【技術分野】
【０００１】
本発明はドア及びドア枠の製造方法に関するものであり、より詳細には、トイレブースその他の間仕切りを構成するためのドア及びドア枠、並びに、それらを高品質且つ低コストにて製造するための方法に関するものである。
【背景技術】
【０００２】
トイレブースは、トイレの個室空間を形成する間仕切りであり、公共施設、オフィスビル、病院等に設置されるものであり、ドアと、その両側のドア枠と、奥行きパネルとで構成される。そして、多くの場合、ドアとドア枠のエッジ（木口）に、パネル木口を保護するアルミニウム、ステンレス等の金属製エッジ材が取り付けられる。ドア枠は、従来ドアと同じ高さのものが多かったが、最近は、天井に届く高さにされることも多くなってきている。
【０００３】
上記いずれのタイプのトイレブースであっても、ドアとドア枠の金属製エッジ材が露出状態となるが、言うまでもなく、金属製エッジ材は味気なく、冷たい感じのするものであり、美感や柔らかな質感とは程遠いものである。トイレブース以外の間仕切りについても同様である。
【先行技術文献】
【特許文献】
【０００４】
【特許文献１】特開２０１８−３３８９号公報
【発明の概要】
【発明が解決しようとする課題】
【０００５】
上記のとおり、従来の一般的トイレブースの多くは、ドアとドア枠のエッジ材がアルミニウム、ステンレス等の金属製であるため、味気なく、冷たい感じがし、美感や柔らかな質感とは程遠いものであり、そこからは到底心地よいレスト空間は生まれない。そこで、ドアとドア枠とそれらのエッジ材に、共通の樹脂製化粧シートを貼って、一体感を持たせることが考えられる。
【０００６】
しかし、その場合、樹脂製化粧シートとしては、多種多様の色、柄、模様のものが用意されるが、それらは裏面に粘着剤層を有する粘着剤付化粧シートであるために、コストが嵩むだけでなく、粘着剤がゲル状態を維持するため、粘着剤が伸びて、被着体である粘着剤付化粧シートが次第にずれ動き、外観を損ねるおそれがある。
【０００７】
本発明は、このような粘着剤付化粧シートを用いる場合における問題に鑑みてなされたもので、貼り付けた化粧シートが経時的にずれ動いて外観を損ねるおそれがなく、高級感を醸し出すドア及びドア枠、並びに、それらのドア及びドア枠を、高品質且つ低コストにて製造し得るドア及びドア枠の製造方法を提供することを課題とする。
【課題を解決するための手段】
【０００８】
上記課題を解決するための請求項１に記載の発明は、パネルとその木口に嵌め付けられるエッジ材とから成るドア及びドア枠であって、
前記パネルには、接着剤を介して裏面に粘着剤層を有しない樹脂製化粧シートが貼られ、前記エッジ材には、粘着剤付化粧シートが貼られていることを特徴とするドア及びドア枠である。
【０００９】
上記課題を解決するための請求項４に記載の発明は、パネルとその木口に嵌め付けられるエッジ材とから成るドア及びドア枠の製造方法であって、
前記パネルには、接着剤を介して裏面に粘着剤層を有しない樹脂製化粧シートを貼り付け、前記エッジ材には、粘着剤付化粧シートを貼り付けることを特徴とするドア及びドア枠の製造方法である。
【００１０】
一実施形態においては、前記パネルに貼り付ける化粧シートと前記エッジ材に貼り付ける粘着剤付化粧シートは同じ色柄のものとされ、また、前記パネルに塗布される前記接着剤は、ＰＵＲ系ホットメルト接着剤とされる。
【発明の効果】
【００１１】
本発明に係るドア及びドア枠並びにそれらの製造方法は上記の通りであって、パネルについては、高価な粘着剤付化粧フィルムを用いず、裏面に粘着剤層を有しない廉価な化粧シートを、工場ラインで接着強度の強い接着剤を塗布して貼り付ける方法を採るため、貼り付けた化粧シートが経時的にずれ動いて外観を損ねるおそれがなく、高級感を醸し出すドア及びドア枠が得られ、また、それらのドア及びドア枠を、高品質且つ低コストにて製造し得る効果がある。
【図面の簡単な説明】
【００１２】
【図１】本発明に係るドアとドア枠の上部の分解斜視図である。
【図２】本発明に係るドアとドア枠のパネルの表面板の断面図である。
【発明を実施するための形態】
【００１３】
以下に、本発明を実施するための形態につき、添付図面に依拠して説明する。本発明に係るドアとドア枠は、主にトイレプース用であるので、以下の説明においては、トイレブースのドア及びドア枠として説明するが、その他の間仕切りの構成に用いられるドア及びドア枠についても同様の構成となる。
【００１４】
図１は、本発明に係るドア１とドア枠１１の上部の分解斜視図である。そこに示されるように、ドア１は、パネル２と、パネル２の木口にアルミ受け材３を介して嵌め付けられるエッジ材４とから成る。ドア枠１１も同様に、パネル１２と、パネル１２の木口にアルミ受け材１３を介して嵌め付けられるエッジ材１４とから成る。
【００１５】
パネル２は、枠材５と、枠材５内に配置されるペーパーコア等の芯材と、枠材５の両面を閉塞する表面板６とから成る。表面板６は、例えば、厚さ４ｍｍのＭＤＦ（中密度繊維板）７の表面に化粧シート８を貼り付け、必要に応じ、裏面に防湿シート９を貼り付けたものである（図２）。通例、パネル２の天面には、化粧シート８に近似色（単色）の硬質塩ビテープ１０が貼られる。
【００１６】
化粧シート８は、木目模様その他多種多様の模様や色柄表現等の印刷を施したもので、例えば、グラビア印刷可能な、厚さ０．１７ｍｍ以下の塩化ビニル樹脂系フィルムであるが、ここで用いる化粧シート８は、裏面に粘着剤層を有しないものである。この化粧シート８のＭＤＦ７への貼り付けは、予め工場ラインにおいて、好ましくは、ＰＵＲ系ホットメルト接着剤を用いて行う。この接着剤は、接着強度が強く、塗布量が少なくて済み、経時劣化しにくいという利点がある。本発明においては、このように、裏面に粘着剤層を有しない比較的廉価な化粧シート８を、予め、平坦な板材であるＭＤＦ７へ工場ラインで接着するため、化粧シート８の貼り付け作業を効率よく低コストにて行うことができる。
【００１７】
一方、見栄えを良くするために断面が湾折曲形状にされることが多いエッジ材４については、裏面に粘着剤層を有する、３Ｍ社製「ダイノックフィルム」や、タキロンシーアイ社製「ベルビアン」等の粘着剤付化粧フィルム８ａを用い、裏面の剥離紙を剥離して、エッジ材４の表面に粘着する。その場合、粘着剤付化粧フィルム８ａの両端部を、エッジ材４の内側に巻き込むようにする。  
【００１８】
ここで、接着剤と粘着剤の違いについて説明しておく。接着剤は、使用前は液体であり、貼り付け後に固体となるが、硬化に時間がかかるため、硬化反応進行度が接着強度に依存してくる。これに対して粘着剤は、常時濡れた状態（ゲル状態）を安定的に保持しており、貼り付け後もその状態を維持している。粘着剤は瞬時に接着反応が完了するため、短時間で貼り付け完了となるが、貼り付け強度は一定以上強くならない。そして、ゲル状態のため、粘着力、保持力に問題があり、経時的に粘着剤が伸びて、被着体が次第にずれてくる可能性がある。
【００１９】
接着剤と粘着剤には以上のような違いがあるところから、本発明においては、パネル２については、裏面に粘着剤層を有しない化粧シート８を、ＰＵＲ系ホットメルト接着剤のような接着強度が強い接着剤を用い、工場ラインでＭＤＦ７へ接着することで、十分な接着強度が得られるようにしているのである。この構成の場合は、被着体である化粧シート８が、経時的にずれ動くことはない。
【００２０】
一方、表面が平坦ではないエッジ材４には粘着剤付化粧フィルム８ａを貼り付けるが、その場合、粘着剤付化粧フィルム８ａの両端部をエッジ材４の内側に巻き込むようにすることで、粘着剤付化粧フィルム８ａがアルミ受け材３との間に強く挟持され、そのずれ動きが防止される。上記の通り、粘着剤は瞬時に接着反応が完了するので、トイレブース施工現場において貼り付け作業を行うことができるが、接着剤の場合は硬化に時間がかかるため、施工現場において貼り付け作業を行うに適さない。
【００２１】
以上はドア１についての説明であるが、パネル１２とその木口に嵌め付けられるエッジ材１４とから成るドア枠１１についても、ドア１と同様の構成で、ドア１と同様の方法で製造される。
【産業上の利用可能性】
【００２２】
本発明に係るドア及びドア枠並びにそれらの製造方法は上記の通りであって、パネルについては、高価な粘着剤付化粧フィルムを用いず、裏面に粘着剤層を有しない比較的廉価な化粧シートを、工場ラインで接着強度が強い接着剤を塗布して貼り付ける方法を採るため、貼り付けた化粧シートが経時的にずれ動いて外観を損ねるおそれがなく、高級感を醸し出すドア及びドア枠が得られ、また、それらのドア及びドア枠を、高品質且つ低コストにて製造し得る効果のあるものであり、その産業上の利用可能性は大である。
【符号の説明】
【００２３】
１          ドア
２          パネル
３          エッジ材取り付け材
４          エッジ材
５          枠材
６          表面板
７          ＭＤＦ
８，８ａ    化粧シート
９          防湿シート
１０        硬質塩ビテープ
１１        ドア枠
１２        パネル
１３        エッジ材取り付け材
１４        エッジ材
【要約】
【課題】貼り付けた化粧シートが経時的にずれ動いて外観を損ねるおそれがなく、高級感を醸し出すドア及びドア枠、並びに、それらのドア及びドア枠を、高品質且つ低コストにて製造し得るドア及びドア枠の製造方法を提供することを課題とする。
【解決手段】パネル２とその木口に嵌め付けられるエッジ材４とから成るドア１及びドア枠１１であって、パネル２には、接着剤を介して裏面に粘着剤層を有しない樹脂製化粧シート８が貼られ、エッジ材４には、粘着剤付化粧シート８ａが貼られる。
【選択図】図１【図１】
0006975496.tif 000002
【図２】
0006975496.tif 000003